(57)【要約】【課題】印字時又はワイピング時のよるヘッドのクリーニング時に飛散した記録液が電気接続部に侵入することを防ぎ、且つ、ブレード等の外力から電気接続部を保護することが可能なインクジェット記録ヘッドを提供すること。【解決手段】複数の吐出口を有し、インク流路を形成するノズル材を有するインクを吐出するための記録素子基板と、記録素子基板に設けられる電極に電気接続される、電圧を印加するためのフレキシブルフィルム配線基板を備え、記録素子基板の外周と記録素子基板と電気配線テープの電気接続部が封止剤により封止されるインクジェット記録ヘッドにおいて、複数の吐出口と前記電極との間に位置した前記封止剤の一端と前記吐出口の間にあり、且つ、前記封止剤の一端の位置を規定する溝を有し、前記記録素子基板とフレキシブルフィルム配線基板の各隣接する電極に壁を有することを特徴とする。【選択図】図１
2006187948.tif 000002
【特許請求の範囲】
【請求項１】
複数の吐出口を有し、インク流路を形成するノズル材を有するインクを吐出するための記録素子基板と、記録素子基板に設けられる電極に電気接続される、電圧を印加するためのフレキシブルフィルム配線基板を備え、記録素子基板の外周と記録素子基板と電気配線テープの電気接続部が封止剤により封止されるインクジェット記録ヘッドにおいて、
複数の吐出口と前記電極との間に位置した前記封止剤の一端と前記吐出口の間にあり、且つ、前記封止剤の一端の位置を規定する溝を有し、前記記録素子基板とフレキシブルフィルム配線基板の各隣接する電極に壁を有することを特徴とするインクジェット記録ヘッド。
【請求項２】
前記溝は、前記電極の配列方向に対して平行に設けられることを特徴とする請求項１記載のインクジェット記録ヘッド。
【請求項３】
前記溝の幅は、前記ノズル材上の吐出口と前記電極との間に形成されることを特徴とする請求項１記載のインクジェット記録ヘッド。
【請求項４】
前記溝は、記録素子基板上に設けられたノズル材上にパターンによって形成されていることを特徴とする請求項１記載のインクジェット記録ヘッド。
【請求項５】
前記溝は、記録素子基板上に設けられたノズル材と同材料で形成されていることを特徴とする請求項１記載のインクジェット記録ヘッド。
【請求項６】
前記溝は、アルカリ現像可能な感光性樹脂により形成されていることを特徴とする請求項１記載のインクジェット記録ヘッド。
【請求項７】
前記隣接端子間壁は、前記電極の配列方向に対して垂直に設けられることを特徴とする請求項１記載のインクジェット記録ヘッド。
【請求項８】
前記隣接端子間壁は、隣接する前記電極の間に形成されることを特徴とする請求項１記載のインクジェット記録ヘッド。
【請求項９】
前記隣接端子間壁の高さは、前記電極より高くなることを特徴とする請求項１記載のインクジェット記録ヘッド。
【請求項１０】
前記隣接端子間壁の幅は、隣接する前記電極の間に設けることが可能な幅で形成される請求項１記載のインクジェット記録ヘッド。
【請求項１１】
前記隣接端子間壁は、記録素子基板上に設けられたノズル材と同材料で形成されることを特徴とする請求項１記載のインクジェット記録ヘッド
【請求項１２】
前記隣接端子間壁は、アルカリ現像可能な感光性樹脂により形成されていることを特徴とする請求項１記載のインクジェット記録ヘッド。
【発明の詳細な説明】
【技術分野】
【０００１】
本発明は、インクジェット記録装置に用いるインクジェット記録ヘッドに関するものである。
【背景技術】
【０００２】
液体噴射記録装置は、いわゆるノンインパクト記録方式の記録装置であり、高速な記録と様々な記録メディアに対して記録することが可能であって、記録時における騒音が殆ど生じないといった特徴を有している。このようなことから、液体噴射記録装置は、プリンタ、ワードプロセッサ、ファクシミリ、複写機等の記録機構を担う装置として広く採用されている。
【０００３】
この種の液体噴射記録装置で用いられる液体噴射記録方式は、代表的な例としては、吐出エネルギー発生素子として電気熱変換素子を用いた方式がある。この方式は、微少な吐出口から記録液の液滴を吐出させ、記録媒体に対し記録を行なうものであって、一般に、液滴を形成するための吐出ノズルを持つ記録ヘッドと、この記録ヘッドに対して記録液を供給する記録液供給系とから構成されている。電気熱変換素子を用いた液体噴射記録ヘッドは、電気熱変換素子を加圧室内に設け、これに記録信号となる電気パルスを印加することにより記録液に熱エネルギーを与え、そのときの記録液の相変化により生じる記録液の発泡時（沸騰時）の気泡圧力を記録液滴の吐出に利用したものである。
【０００４】
又に、電気熱変換方式を用いた液体噴射記録ヘッドには、電気熱変換素子が配列された基板に対して平行に記録液を吐出させる方式（エッジシュータ）のものと、電気熱変換素子が配列された基板に対して垂直に記録液を吐出させる方式（サイドシュータ）のものとがある。
【０００５】
最近は、インクジェット記録ヘッドの小型化、多色化が進み、例えば１つのインクジェット記録ヘッドで、イエロー、マゼンダ、シアン、ブラックの４色の記録液を吐出するもの等が製品化されてきている。
【０００６】
複数の記録素子基板によりそれぞれ異なる色の記録液を吐出するインクジェット記録ヘッドの実装形態の一例を、図３〜図５に示す。
【０００７】
図４は一般的な電気熱変換素子が配列され記録液を吐出させる機能を有する基板（以下、「記録素子基板」と言う）を示す図であり、同図（ａ）はその平面図、（ｂ）は底面図、（ｃ）は側面図である。又、図４は図３に示した記録素子基板が配線基板に接続された状態を示す図である。
【０００８】
図４に示すように、記録素子基板１０１にはその裏面から記録液を供給するための共通液室１１１形成され、記録素子基板１０１の表面には記録液に吐出エネルギーを付与するための電気熱変換素子（不図示）が共通液室１１１の両側にそれぞれ複数配列され、又、記録素子基板１０１上にはノズル材１０８が設けられ、このノズル材１０８には、複数の電気熱変換素子にそれぞれ対向するように複数の吐出口１０９が形成されている。そして、記録素子基板１０１の表面の両端部には複数の電気熱変換素子にそれぞれ電気的に接続された複数の電極１０７が配されている。
【０００９】
又、図４に示すように、記録素子基板１０１に設けられた複数の電極１０７とフレキシブルフィルム配線基板１１０に設けられた複数の電極リード１０６とが、例えばＴＡＢ技術等によって電気的に接続されて記録素子ユニット１１９が構成される。この電気的接続部は、記録液による腐食や外部から作用する力による断線から保護するために、接続部全体が第２の封止剤１００１によって被覆保護されている。
【００１０】
図５は図４に示した記録素子ユニットが設けられた従来の液体噴射記録ヘッドの一構成例を示す図であり、同図（ａ）は外観斜視図、同図（ｂ）は図（ａ）に示すＡ−Ａ線断面の部分拡大図である。
【００１１】
図５に示すように、記録素子ユニットは、第１のプレート１０２の上面に接着樹脂Ａ１１５により接着固定されている。更に、第１のプレート１０２の上面には第２のプレート１０３が接着樹脂Ｂ１１６により接着固定され、第２のプレート１０３の上面にはフレキシブルフィルム配線基板１１０が接着樹脂Ｃ１１７により接着固定されている。
【００１２】
又、第１のプレート１０２の側面には、記録装置本体側から液体噴射記録ヘッドへ記録情報等の電気信号を与える外部入力パッド１１３が設けられている第２の配線基板１１８が保持固定されている。第２の配線基板１１８と各記録素子ユニットとは、フレキシブルフィルム配線基板１１０を介して電気的に接続されている。
【００１３】
そして、図５（ｂ）に示すように、第２のプレート１０３と記録素子基板１０１との間にできる凹部１１４が、記録液による腐食及び記録液を介してのショートを防止するために、封止剤により被覆保護されている。
【００１４】
図２は従来の他の液体噴射記録ヘッドの構成図である。
【００１５】
図２（ａ）は図４の拡大図で、図２（ｂ）は図２（ａ）のＡ−Ａ１線断面図であり、図２（ｃ）は図２（ａ）の斜視図である。
【００１６】
この図２（ａ）は、分かり易くするために、図２（ｂ）で図示されている第１の封止剤１０００と第２の封止剤１００１は省略されている。
【００１７】
１０１は記録素子基板、１０２は記録素子基板１０１を支持する第１のプレート、１０３はフレキシブルフィルム配線基板１１０を支持する第２のプレート、１０９はインク滴を吐出するための吐出口、１１１は記録素子基板１０１に、異方性エッチング又はブラスト加工により形成される共通液室を示す。
【００１８】
１０８は吐出口１０９に繋がるノズル材、１０７は記録素子基板１０１に設けられた電極、１１２は第１のプレート１０２に設けられ、共通液室１１１にインクを供給するインク流路を示す。
【００１９】
１０６はフレキシブルフィルム配線基板１１０に設けられた電極リード、１０４は上カバーフィルム、１０５は下カバーフィルムであり、フレキシブルフィルム配線基板１１０の電極リード１０６は、上カバーフィルム１０４と下カバーフィルム１０５で覆われているが、電気接続部Ｔ近傍では、電極リード１０６は上カバーフィルム１０４と下カバーフィルムには覆われていない。
【００２０】
記録素子基板１０１は、第１のプレートに接着固定されている。
【００２１】
記録素子基板１０１の電極１０７は、フレキシブルフィルム配線基板１１０の接続端子となる電極リード１０６と熱超音波圧着法によって電気接続されており、吐出口１０９からインクを吐出するための電気信号がフレキシブルフィルム配線基板１１０の電極リード１０６から電気接続部Ｔを通じて供給され、又、フレキシブルフィルム配線基板１１０は、記録装置本体側からインクジェット記録ヘッドに記録情報等の電気信号を与える外部入力パット１１３を有する。
【００２２】
電気接続部Ｔは、インクによる腐食や外的衝撃を保護する観点から第１の封止剤１０００と第２の封止剤１００１による封止が設けられている。
【００２３】
第１の封止剤１０００は主にフレキシブルフィルム配線基板１１０の電極リード１０６と記録素子基板１０１の電極１０７との接続部裏面側と記録素子基板の外周部分を封止し、第２の封止剤１００１は、上述の接続部分の表側をフレキシブルフィルム配線基板１１０の上カバーフィルム１０４からノズル材１０８の上面にかけて封止する。
【００２４】
第１の封止剤１０００と第２の封止剤１００１は、共に熱硬化性の封止剤であり、第１の封止剤は低粘度で硬化後の硬度が比較的軟らかく、第２の封止剤は高粘度で硬化後の硬度が高く、且つ、耐インク性を有すものを採用している。
【００２５】
【特許文献１】特開平１０−０４４４１７号公報
【特許文献２】特開２００２−０１９１２０号公報
【発明の開示】
【発明が解決しようとする課題】
【００２６】
しかし、上述した記録素子基板とフレキシブルフィルム配線基板の電気接続部を封止するインクジェット記録ヘッドにおいては、以下のような問題がある。
【００２７】
即ち、従来のインクジェット記録ヘッドは記録素子基板とフレキシブルフィルム配線基板との電気的接続部に外力からの保護を図るために、硬化後に非常に固くなる封止材料を選択する必要があった。しかし、このような封止樹脂をシリコン等から成る記録素子基板の周囲に塗布すると、硬化収縮時に掛かる力で記録素子基板をクラック等により破壊してしまう可能性がある。そのため、記録素子基板の周囲には硬化後に非常に固くなる材料を充填することができない。
【００２８】
又、封止樹脂の充填量が不十分であると、印字時又はワイピングによるヘッドのクリーニング時に飛散した記録液が記録素子基板の両脇に生じる凹部内に徐々に溜って増粘固着する。この増粘した記録液が、ワイピング時にワイパーに付着し、更に吐出口に付着すると、安定して記録液滴を吐出することに障害を起こす一因となる。
【００２９】
よって、記録素子基板の周囲には硬化後に弾性を有し、記録素子基板のクラックを起こさない、且つ、記録素子基板の周囲に容易に充填可能な低粘度な材料を採用し、第１の封止剤塗布工程として記録素子基板の周囲を封止剤を充填し、その後に記録素子基板とフレキシブルフィルム配線基板との電気接続部を硬化後に非常に固くなる封止材料を要した第２の封止剤塗布工程の２つの封止工程にて記録素子基板とフレキシブルフィルム配線基板の電気接続部を被覆保護している。
【００３０】
しかしながら、第１の封止剤は低粘度なものを採用しているため、記録素子基板の周囲に第１に封止剤が充填されている状態に電気接続部を被覆するための第２の封止剤を塗布すると、第１の封止剤と第２の封止剤が互いに混ざり合いながら、図２（ｂ）に示した通り、混ざり合った封止剤がノズル材との界面に露出してしまう。その混ざり合い露出した封止剤はその硬化特性より、第１の封止剤と第２の封止剤を同時に熱キュアすると硬化反応の早い第２の封止剤と第１の封止剤との界面において、第１の封止剤に含まれる硬化剤を奪い取ってしまうことが分かっており、よって、第１の封止剤は硬化剤が不足するため未硬化部分（硬化阻害）を発生してしまう問題がある。
【００３１】
よって、ノズル材と封止剤の界面に混ざり合った封止剤が存在することは、印字時又はワイピング時のよるヘッドのクリーニング時に飛散した記録液がその未硬化部分を侵入口とし、フレキシブルフィルム配線基板と記録素子基板を接続する電極まで侵入することで隣接端子間にてインクによる電気不良（ショート）が発生させ、印字障害を起こしてしまう。
【００３２】
よって、現状は第１の封止剤塗布工程と第２の封止剤塗布工程との間に他の製造工程と比較して長い時間を必要とする封止剤の熱キュアを行い、第１の封止剤を硬化度、且つ、粘度を上げることで、その後に第２の封止剤を塗布し、例え混ざったとしても、第１の封止剤の粘度が高くなっていることで、ノズル界面への流れ込みによる露出を防止している。
【００３３】
更に、第２の封止剤塗布後に再度、熱キュアを行い、封止剤の完全硬化することで、この問題を回避している。
【００３４】
しかし、前記問題の回避は可能となったものの、新たに生産面２つの課題を抱えること、１つは第１の封止剤の硬化状態を熱キュア時間で調整することが非常に困難であること。２つとしては封止剤を熱キュアに長時間を要すことは生産効率を大きく落としてしまうという課題である。
【００３５】
本発明は、上記の従来技術の有する問題を鑑みてなされたものであり、第１の封止剤と第２の封止剤の界面において硬化阻害が起きても、記録素子基板上ノズル材と記録素子基板とフレキシブルフィルム配線基板の電気接続部の被覆する封止剤の界面には２種類の封止剤が混ざり合って存在する第１の封止剤の未硬化部分（硬化阻害）がなく、印字時又はワイピング時のよるヘッドのクリーニング時に飛散した記録液が電気接続部に侵入することを防ぎ、且つ、ブレード等の外力から電気接続部を保護することが可能なインクジェット記録ヘッドを提供することである。
【００３６】
又、本発明は、第１の封止剤を硬化するための熱キュア時間を短縮し、生産効率の向上、且つ、信頼性の高いインクジェット記録ヘッドを提供することである。
【課題を解決するための手段】
【００３７】
上記目的を達成するため、本発明は、複数の吐出口を有し、インク流路を形成するノズル材を有するインクを吐出するための記録素子基板と、記録素子基板に設けられる電極に電気接続される、電圧を印加するためのフレキシブルフィルム配線基板を備え、記録素子基板の外周と記録素子基板と電気配線テープの電気接続部が封止剤により封止されるインクジェット記録ヘッドにおいて、複数の吐出口と前記電極との間に位置した前記封止剤の一端と前記吐出口の間にあり、且つ、前記封止剤の一端の位置を規定する溝を有し、前記記録素子基板とフレキシブルフィルム配線基板の各隣接する電極に壁を有することを特徴とする。
【００３８】
本発明のインクジェット記録ヘッドの特徴となる封止剤流れ止めである第１の溝、 第２の溝及び隣接端子間に設ける壁は前記電気接続部より高くなることが好ましい。
【００３９】
本発明のインクジェット記録ヘッドの封止剤流れ止めとなる第１の溝、第２の溝は記録素子基板に有する電極列に対し平行に設け、溝は複数設けられても良い。
【００４０】
本発明のインクジェット記録ヘッドの隣接端子間の壁は記録素子基板に有する電極列に対し垂直に設けることが好ましい。
【００４１】
本発明のインクジェット記録ヘッドの電気接続部、各隣接端子間の壁幅は隣接端子間の間に形成されれば良い。
【００４２】
上記のように構成された本発明のインクジェット記録ヘッドによれば、記録素子基板の外周に形成される凹形状に充填される第１の封止剤が毛管力によって記録素子基板の外周及び電気接続部へ流れ込み、その流れ込んだ第１の封止剤は電気接続部と吐出口を有するノズル材の段差によって堰止められることとなる。更には、隣接端子間に設けたノズル材による樹脂壁によって、第１の封止剤に覆われた電気接続部は例え記録液が侵入した場合でも隣接端子間の電気ショート懸念が解消されることとなる。又、前記第１の封止塗布後の状態にある記録素子基板とフレキシブルフィルム配線基板の電気接続部上へ第２の封止剤を塗布するが、たとえ第２の封止剤と第１の封止剤と混ざりあっても、ノズル材に設けた第一の溝で堰止められることとなる。
【００４３】
又、ノズル材上に設けた第２の溝は、第２の封止剤を直接流し込むための溝であり、この溝へ第２の封止剤を直接流し込むことによって、記録素子基板上ノズル材上においては第１の封止剤と第２の封止剤が混ざり合って存在する第１の封止剤の未硬化部分（硬化阻害）の発生、露出をなくすことが可能となり、よって印字時又はワイピング時のよるヘッドのクリーニング時に飛散した記録液が電気接続部に侵入することを防ぎ、且つ、ブレード等の外力から電気接続部を保護されることとなる。即ち、記録素子基板とフレキシブル配線基板との電気接続部のインク侵入に対するマージンを向上させ、信頼性の高いインクジェット記録ヘッドとなる。
【発明の効果】
【００４４】
本発明によれば、封止剤流れ止め用の溝を設けることにより、第１の封止剤を塗布し、低粘度な状態の第１の封止剤上に第２の封止剤を塗布しても、溝部で第１の封止剤は堰止めされることとなる。
【００４５】
そして、第２の封止剤は封止流れ止め用土手に塗布されることで第１の封止剤を確実に被覆し、問題であった未硬化部の露出を回避することが可能となる。
【００４６】
又、たとえ電気接続部へ記録液が侵入したとしても、電気接続部の各隣接電極間へ壁を設けてあることで、従来発生した電気不良（ショート）の発生も抑制することが可能となる。
【００４７】
よって、従来の構成で発生していた封止剤未硬化部から記録液が電気接続部へ侵入し、電気的不良の発生なきインクジェット記録ヘッドを提供することが可能となる。
【００４８】
又、封止剤流れ止め用の溝を設けたことで第１の封止剤のキュア工程時間短縮が可能となり、且つ、第１の硬化状態の熱キュア時間で調整する不要となるため、大幅な生産性の向上と電気不良撲滅による信頼性あるインクジェット記録ヘッドを提供することが可能となる。
【発明を実施するための最良の形態】
【００４９】
以下に本発明の実施の形態を添付図面に基づいて説明する。
【００５０】
図１の（ａ）〜（ｃ）は本発明のインクジェット記録ヘッドの実施の形態を示す図である。尚、本発明に係るインクジェット記録ヘッドの基本的構成要素は、第１の溝２０００及び第２の溝２００１及び隣接端子間壁２００２の構造を除いて前記先行技術におけるものと実質的に同一であるので、同一の構成部分については同一の符号を付し、説明の詳細を省略する。
【００５１】
２０００はノズル材１０８に設けられた封止剤流れ止め用の第１の溝、２００１はノズル材１０８に設けられた封止剤流れ止め用の第２の溝、２００２は隣接する電気接続部の間に設けられた壁である。
【００５２】
図１（ａ）はインク滴の吐出方向から見た平面図で、フレキシブル配線基板１１０と記録素子基板１０１の電気接続部Ｔの端部近傍を示している。
【００５３】
図１（ａ）は本発明を分かり易くするために図１（ｂ）で記載されている第１の封止剤１０００と第２の封止剤１００１は省略されている。
【００５４】
図１（ｂ）は図１（ａ）のＡ−Ａ１断面図、図１（ｃ）は図１（ａ）の斜視図である。
【００５５】
本発明のインクジェット記録ヘッドは、例えば、ブラック、イエロー用の記録素子基板１０１と、例えば、マゼンタ、シアン用の記録素子基板１０１と、第１のプレート１０２と第２のプレート１０３で構成される。
【００５６】
１０９はインク滴を吐出するための吐出口、１１１は吐出口に繋がるノズル１０６にインク供給する共通液室を示す。
【００５７】
通液室１１１は記録素子基板１０１に異方性エッチング加工により形成される。
【００５８】
第１のプレート１０２は記録素子基板１０１を支持するとともに、共通液室１１１にインクを供給するインク流路１１２が形成されている。
【００５９】
更に、記録素子基板１０１の電極１０７は、吐出口１０９列と直角方向に設けられている。
【００６０】
ここで、電極１０７は、数個しか示していないが、実際の製品では数十〜数百設けられている。
【００６１】
電極１０７はスタッドバンプ或はメッキバンプにより形成される金バンプである。
【００６２】
記録素子基板１０１は、その裏面側が第一のプレートに、数〜数十μｍといった高精度な接着固定がなされている。
【００６３】
記録素子基板１０１は、第１のプレートに接着した後、フレキシブルフィルム配線基板１１０の導電対１０６と電極１０７の電気接続部Ｔが電気的に接続されており、更にフレキシブルフィルム配線基板１１０には図示していない記録情報等の電気信号を与える外部入力パット１１３が設けられている。  
封止剤流れ止め用である第１の溝２０００はノズル材１０８上の吐出口１０９と電気接続部Ｔの間に凹形状として形成されている。
【００６４】
封止剤流れ止め用である第２の溝２００１は、ノズル材１０８上の吐出口１０９と電気接続部Ｔの間に凹形状として形成されている。
【００６５】
第１の溝２０００及び第２の溝２００１、隣接端子間壁２００２は記録素子基板１０１上の各電気接続部Ｔの隣接間にノズル材１０８と同材料で形成されている。
【００６６】
第１の溝及び第２の溝となる凹部が形成されるノズル材１０８はアルカリ現像可能な感光性樹脂で形成されている。
【００６７】
ノズル材１０８を感光性樹脂で形成することにより、第１の溝及び第２の溝となる凹形状はフォトリソグラフィーに形成されている
隣接端子間壁２００２はノズル材１０８と同材料であるため、アルカリ現像可能な感光性樹脂で形成されている。
【００６８】
隣接端子間壁２００２は、感光性樹脂で形成されているため、その形状はフォトリソグラフィーにて形成されている。
【００６９】
隣接端子間壁２００２は、電気接続部Ｔを第１の封止材で被覆するため、その高さは電気接続部Ｔより高くなる高さとされている。
【００７０】
第１の封止剤１０００については、特に温度変化に対する応力及び非腐食性、第２の封止剤１００１においては特に耐インク性及び空気バリア性に優れた材料であれば良いため、封止剤の機能分離を行えることができ、総合的に優れた性能を有するものを採用すれば良い。
【００７１】
この構成によって、本実施の形態においては、第１の封止剤には熱硬化性シリコーン変性系エポキシ樹脂、第２の封止剤は熱硬化性エポキシ系封止剤を用い、先ず、第１の封止剤を特定量の塗布すれば、フレキシブルフィルム配線基板の導電対と電気接続部Ｔと記録素子基板の外周に封止剤が回り込み、且つ、隣接端子間壁近傍まで毛管力を利用して、封止剤を流すことが容易となる。よって、電気接続部Ｔは隣接端子間壁を通じ、第１の封止剤によって、被覆することが可能となる。又、たとえ塗布直後に第１の封止剤がノズル側へ回り込もうとしても、凹形状である封止流れ止め用の第１の溝で確実に堰止めされることになる。
【００７２】
又、第２の封止剤は、図１（ｂ）のように、電気接続部Ｔの表面側をフレキシブルフィルム配線基板の上カバーフィルム１０４からノズル剤１０８の上面にかけて封止し、凹形状である第２の溝へ直接流し込むことによって、第１の溝で堰止めされた第１の封止剤を被覆するように塗布することが可能となり、これによって記録素子基板上ノズル材上においては第１の封止剤と第２の封止剤が混ざり合って存在する第１の封止剤の未硬化部分（硬化阻害）の発生、露出することが回避可能となる。
【００７３】
以上の構成によって、第１の封止剤１０００が低粘度な状態においても、封止流れ止め用の第１の溝２０００によって、第１の封止剤は堰止められ、各電気接続部は確実に第１の封止剤に被覆されることになる。更に、第２の封止剤は第２の溝でへ直接流し込むことによって、第１の溝で堰止めされた第１の封止剤を被覆し、記録素子基板上ノズル材上においては第１の封止剤と第２の封止剤が混ざり合って存在する第１の封止剤の未硬化部分（硬化阻害）の発生、露出をなくすことができる
又、たとえ、記録素子基板上ノズル材上においては第１の封止剤と第２の封止剤が混ざり合って存在する第１の封止剤の未硬化部分（硬化阻害）の発生、露出があり、記録液が電気接続部へ侵入した場合でも、隣接端子間壁を設けたことで第１の封止材１０００が電気接続部Ｔを確実に被覆し、隣接端子同士で電気ショートの発生をなくすことが可能となる。
【図面の簡単な説明】
【００７４】
【図１】本発明に係るインクジェット記録ヘッドを示す図である。
【図２】従来のインクジェット記録ヘッドを示す構成図である。
【図３】従来の一般的な電気熱変換素子が配列された記録液を吐出させる機能を有する記録素子基板を示す図である。
【図４】図３に示した記録素子基板が配線基板に接続された状態を示す図である。
【図５】図４に示した記録素子ユニットが設けられた従来のインクジェット記録ヘッドの構成例を示す図である。
【符号の説明】
【００７５】
１０１    記録素子基盤
１０２    第１のプレート
１０３    第２のプレート
１０４    上カバーフィルム
１０５    下カバーフィルム
１０６    電極リード
１０７    電極
１０８    ノズル材
１０９    吐出口
１１０    フレキシブルフィルム配線基板
１１１    共通液室
１１２    インク流路
１１３    外部入力パット
１１４    凹部
１１５    接着樹脂Ａ
１１６    接着樹脂Ｂ
１１７    接着樹脂Ｃ
１１８    第２の配線基板
１１９    記録素子基板ユニット
Ｘ        封止剤未硬化部分
Ｔ        電気接続部
１０００  第１の封止材
１００１  第２の封止材
２０００  第１の溝
２００１  第２の溝
２００２  隣接端子間壁
【図１】
2006187948.tif 000003
【図２】
2006187948.tif 000004
【図３】
2006187948.tif 000005
【図４】
2006187948.tif 000006
【図５】
2006187948.tif 000007